(57)【要約】【課題】遠隔制御を可能としつつ施工作業の作業性の向上を図る。【解決手段】照明器具１は、電源装置３を遠隔制御するための制御指令を受け取る遠隔制御ユニット４を備える。１つ以上のアーム１５は、器具本体１０の側面に取り付けられる取付部１６と、造営物に固定される固定部１７と、取付部１６と固定部１７を連結する連結部１８とを有している。遠隔制御ユニット４は、無線通信を行う無線通信部４０と、赤外線通信を行う赤外線通信部４３と、赤外線通信部４３を収容する筐体４４とを有している。筐体４４は、連結部１８に取り付けられている。【選択図】        図１
2018181594.tif 000002
【特許請求の範囲】
【請求項１】
光源と、
前記光源を点灯させる電源装置と、
前記光源及び前記電源装置を保持する器具本体と、
前記器具本体を支持する支持部材と、
前記電源装置を遠隔制御するための制御指令を受け取る遠隔制御ユニットと
を備え、
前記支持部材は、
前記器具本体の側面に取り付けられる取付部と、
造営物に固定される固定部と、
前記取付部と前記固定部を連結する連結部と
を有し、
前記遠隔制御ユニットは、
無線通信を行う無線通信部と、
赤外線通信を行う赤外線通信部と、
前記赤外線通信部を収容する筐体と
を有し、
前記筐体は、前記連結部に取り付けられている
ことを特徴とする照明器具。
【請求項２】
前記筐体は、前記連結部からみて前記器具本体の外側に配置されるように前記連結部に取り付けられている
ことを特徴とする請求項１記載の照明器具。
【請求項３】
前記支持部材は、前記取付部と前記連結部を２つずつ有し、
前記電源装置は、２つの前記連結部の間に配置されている
ことを特徴とする請求項１又は２記載の照明器具。
【請求項４】
前記無線通信部は前記筐体に収容されている
ことを特徴とする請求項１〜３のいずれか１項に記載の照明器具。
【請求項５】
前記無線通信部は、前記器具本体と前記電源装置との距離よりも前記器具本体と前記無線通信部との距離が大きくなる位置に配置されている
ことを特徴とする請求項１〜４のいずれか１項に記載の照明器具。
【請求項６】
前記支持部材は、前記取付部を長手方向の両端に有するＵ字形状に形成されている
ことを特徴とする請求項１〜５のいずれか１項に記載の照明器具。
【発明の詳細な説明】
【技術分野】
【０００１】
本発明は、照明器具に関し、より詳細には、無線通信及び赤外線通信により遠隔制御可能な照明器具に関する。
【背景技術】
【０００２】
従来例として、特許文献１記載の昇降形照明装置を例示する。この従来例は、例えば、体育館の天井に設置される昇降用駆動ユニット、ワイヤロープを介して昇降用駆動ユニットに吊り下げられたランプホルダ及び反射笠などを有する。昇降用駆動ユニットは、ワイヤロープを介してランプホルダ及び反射笠を昇降させる電動モータ、ランプホルダに装着される高圧放電ランプを点灯させるインバータ装置、電動モータ及びインバータ装置を収容するハウジングなどを備える。さらに、昇降用駆動ユニットは、赤外線を通信媒体とする遠隔操作用の信号を受信するための受信部を備えている。昇降用駆動ユニットは、受信部で受信する信号に応じて電動モータを駆動するように構成されている。
【０００３】
ここで、特許文献１記載の従来例では、受信部を収めた可動アームがハウジングに設けられている。可動アームは、ハウジングに対してスライド可能であり、受信部の受光面を反射笠よりも外側の位置に進出させるように構成されている。つまり、特許文献１記載の従来例は、下方から送信される赤外線信号を反射笠に遮られることなく受信部で受信できるように構成されている。
【先行技術文献】
【特許文献】
【０００４】
【特許文献１】特開２００１−１２６５２８号公報
【発明の概要】
【発明が解決しようとする課題】
【０００５】
しかしながら、特許文献１記載の従来例では、受信部を適切な位置に配置するためにハウジングに対して可動アームをスライドさせなければならず、施工作業の作業性の低下を招いていた。
【０００６】
本発明の目的は、遠隔制御を可能としつつ施工作業の作業性の向上を図ることができる照明器具を提供することである。
【課題を解決するための手段】
【０００７】
本発明の一態様に係る照明器具は、光源と、前記光源を点灯させる電源装置と、前記光源及び前記電源装置を保持する器具本体と、前記器具本体を支持する支持部材と、前記電源装置を遠隔制御するための制御指令を受け取る遠隔制御ユニットとを備える。前記支持部材は、前記器具本体の側面に取り付けられる取付部と、造営物に固定される固定部と、前記取付部と前記固定部を連結する連結部とを有している。前記遠隔制御ユニットは、無線通信を行う無線通信部と、赤外線通信を行う赤外線通信部と、前記赤外線通信部を収容する筐体とを有している。前記筐体は、前記連結部に取り付けられている。
【発明の効果】
【０００８】
本発明の照明器具は、遠隔制御を可能としつつ施工作業の作業性の向上を図ることができるという効果がある。
【図面の簡単な説明】
【０００９】
【図１】図１は、本発明の一実施形態に係る照明器具の斜視図である。
【図２】図２は、同上の照明器具の下面図である。
【図３】図３は、同上の照明器具の上面図である。
【図４】図４は、同上の照明器具の前面図である。
【図５】図５は、同上の照明器具の左側面図である。
【図６】図６は、同上の照明器具の右側面断面図である。
【図７】図７は、同上の照明器具における遠隔制御ユニットの分解斜視図である。
【図８】図８は、同上の照明器具及び制御装置のブロック図である。
【図９】図９は、同上の制御装置の正面図である。
【発明を実施するための形態】
【００１０】
以下、本発明の一実施形態に係る照明器具について、図面を参照して詳細に説明する。なお、以下の実施形態で説明する構成は本発明の一例にすぎない。本発明は、以下の実施形態に限定されず、本発明の効果を奏することができれば、設計等に応じて種々の変更が可能である。
【００１１】
本実施形態の照明器具１は、体育館やホールなどの天井の高い建物に設置される高天井用の照明器具である。照明器具１は、図１〜図６に示すように、光源ユニット２と、光源ユニット２を点灯させる電源装置３と、光源ユニット２及び電源装置３を保持する器具本体１０と、支持部材であるアーム１５と、遠隔制御ユニット４とを備えている。ただし、以下の説明においては、図１において照明器具１の上下、左右、前後の各方向を規定する。
【００１２】
光源ユニット２は、ＬＥＤモジュール２０と、ユニットカバー２１と、放熱部材２２と、レンズユニット２３とを有している（図１及び図６参照）。ＬＥＤモジュール２０は、矩形の基板２００の下面に複数個のＬＥＤ(Light Emitting Diode)が実装されて構成されている。これら複数個のＬＥＤは、例えば、照明用白色ＬＥＤであることが好ましい。
【００１３】
放熱部材２２は、ベース板２２０と、複数の放熱板２２１とで構成される（図６参照）。なお、ベース板２２０及び複数の放熱板２２１は、アルミ又はアミル合金の板材で形成されることが好ましい。ベース板２２０は矩形の板状に形成されている。ベース板２２０の下面に、ＬＥＤモジュール２０が取り付けられている。ＬＥＤモジュール２０の基板２００は、複数個のＬＥＤが実装されている実装面（下面）を下に向けてベース板２２０にねじ止めされている（図６参照）。複数の放熱板２２１は、ベース板２２０の上面に、前後方向及び左右方向に並べて取り付けられている。すなわち、複数個のＬＥＤが発する熱は、ベース板２２０から複数の放熱板２２１に伝導され、複数の放熱板２２１から大気中に放熱される。
【００１４】
レンズユニット２３は、複数（ＬＥＤの個数と同数）のレンズと、複数のレンズ同士を結合する結合部とを有している。複数のレンズと結合部とは、透光性を有する合成樹脂（例えばアクリル樹脂）で一体に成形されることによって構成されることが好ましい。レンズユニット２３は、ＬＥＤモジュール２０を覆うようにベース板２２０の下面に取り付けられる（図６参照）。つまり、各ＬＥＤから放射される光は、レンズユニット２３の各レンズで集光又は拡散される。
【００１５】
ユニットカバー２１は、透光性を有する合成樹脂（ポリカーボネート樹脂又はアクリル樹脂など）により、扁平な矩形の箱状に形成される。ユニットカバー２１は、レンズユニット２３を覆い隠すようにベース板２２０の下面に取り付けられる（図６参照）。
【００１６】
器具本体１０は、図１〜図６に示すように、取付板１１と、一対の側板１２と、一対の連結板１３とを有している。取付板１１は、亜鉛鋼板などの金属板によって矩形に形成されている。一対の側板１２のそれぞれは、前後方向から見て台形状に形成されている（図４参照）。ただし、各側板１２には、２つの通気孔１２０が設けられている。各側板１２の厚み方向に貫通する２つの通気孔１２０の間に、アーム取付部１２１が設けられている。一対の連結板１３のそれぞれは、前後方向に長尺であり、前後方向から見た形状がＬ字形に形成されている（図１参照）。なお、一対の側板１２と一対の連結板１３とは、いずれも亜鉛鋼板などの金属板で形成されることが好ましい。一対の側板１２では、長い方の底辺（下辺）の長手方向の両端に連結板１３が１つずつ固定される。つまり、一対の側板１２は、一対の連結板１３により、長い方の底辺の長手方向の両端で互いに連結されている。また、一対の側板１２は、短い方の底辺（上辺）の上に取付板１１が固定されている。つまり、器具本体１０は、取付板１１、一対の側板１２並びに一対の連結板１３により、下面及び左右両面が開放された四角錐台形状に形成されている。光源ユニット２は、器具本体１０の内部に収容され、一対の側板１２のそれぞれの下辺から突出する支持片１２２、並びに一対の連結板１３のそれぞれの下側の支持片１３０の上に、ベース板２２０を載せるようにして器具本体１０に支持される（図３〜図６参照）。ここで、光源ユニット２のユニットカバー２１は、器具本体１０の下面の開口１４を通して器具本体１０の下面から下向きに突出する（図１及び図２参照）。
【００１７】
アーム１５は、一対の取付部１６と、長尺の矩形板状である固定部１７と、一対の連結部１８とを有している（図１及び図５参照）。一対の連結部１８のうちの一方の連結部１８は、固定部１７の長手方向の一端と一対の取付部１６のうちの一方の取付部１６とを連結するように構成されている。一対の連結部１８のうちの他方の連結部１８は、固定部１７の長手方向の他端と一対の取付部１６のうちの他方の取付部１６とを連結するように構成されている。すなわち、アーム１５は、亜鉛鋼板などの金属板によってＵ字形状に形成されている（図１及び図５参照）。各取付部１６には、それぞれ一対のボルト挿通孔１６０が貫通している。上側のボルト挿通孔は円形に形成され、下側のボルト挿通孔１６０は円弧状の長円形に形成されている（図４参照）。アーム１５は、上側のボルト挿通孔に挿通される第１ボルト１６１により、第１ボルト１６１を回転軸として、器具本体１０の各側板１２が有するアーム取付部１２１に回転可能に取り付けられる。ただし、アーム１５の回転範囲は、下側のボルト挿通孔１６０に挿通される第２ボルト１６２がボルト挿通孔１６０内を移動可能な範囲に限定されている。
【００１８】
電源装置３は、図８に示すように点灯回路部３２０、第１制御部３２１及び第１記憶部３２２を有している。点灯回路部３２０は、交流電源７から供給される交流電力を直流電力に変換して光源ユニット２に供給することで光源ユニット２を点灯するように構成されている。第１記憶部３２２は、フラッシュメモリなどの電気的に書換可能な不揮発性の半導体メモリで構成されることが好ましい。第１制御部３２１は、マイクロコントローラなどで構成されることが好ましい。第１制御部３２１は、点灯回路部３２０を制御して光源ユニット２を点滅及び調光するように構成されている。
【００１９】
電源装置３は、図３〜図６に示すように、ケース３０、カバー３１、回路ブロック３２、端子台３３などを備えている。回路ブロック３２は、図６に示すように、プリント配線板３２３の表面（下面）に多数の回路部品３２４が実装されることにより、点灯回路部３２０、第１制御部３２１及び第１記憶部３２２などを構成している。また、回路ブロック３２は、光源ユニット２に直流電力を供給するための出力ケーブル３２５と、遠隔制御ユニット４から制御信号を受け取るための信号ケーブル３２６とを有している。出力ケーブル３２５は、器具本体１０の取付板１１を上下方向に貫通している挿通孔１１０（図６参照）を通してケース３０の外に引き出され、光源ユニット２のＬＥＤモジュール２０と電気的に接続される。信号ケーブル３２６は、ケース３０の側面から引き出されて遠隔制御ユニット４と電気的に接続される。
【００２０】
ケース３０は、亜鉛鋼板などの金属板により、下面が開放された長尺の箱状に形成されている。ケース３０は、四辺形状（例えば、長方形状）の天板３００と、天板３００の４つの辺から下向きに突出する４つの側板とを有している。ここで、天板３００の２つの短辺のうちの右側の短辺から突出する側板を第１の側板３０１と呼ぶ場合がある。天板３００の左側の短辺から突出する側板を第２の側板３０２と呼ぶ場合がある。また、天板３００の前側の長辺から突出する側板を第３の側板３０３と呼ぶ場合がある。さらに、天板３００の後側の長辺から突出する側板を第４の側板３０４と呼ぶ場合がある。ケース３０の４つの側板３０１〜３０４は、天板３００の４つの辺と繋がった矩形の板材が下向きにほぼ直角に曲げ起こされることで天板３００と一体に形成されている（図６参照）。天板３００の下面に回路ブロック３２が取り付けられている。端子台３３は、第２の側板３０２に取り付けられている。端子台３３は電源線用の端子台である。なお、ケース３０は、その下面の開口が取付板１１で塞がれるようにして取付板１１の上面にねじ止めして取り付けられる。
【００２１】
カバー３１は、亜鉛鋼板などの金属板により、複数の側壁（第１側壁３１０、第２側壁３１１、第３側壁３１２、第４側壁３１３）を有する箱形に形成されている（図３〜図５参照）。第２側壁３１１は、ケース３０の第１の側板３０１とほぼ同寸法の矩形状に形成されている。第１側壁３１０は、長尺の矩形状に形成され、第２側壁３１１の長手方向（前後方向）に沿って第２側壁３１１の上辺から横向き（左向き）に突出している。第３側壁３１２は、第２側壁３１１の短手方向（上下方向）に沿って第２側壁３１１の前辺から横向き（左向き）に突出している。第４側壁３１３は、第２側壁３１１の短手方向（上下方向）に沿って第２側壁３１１の後辺から横向き（左向き）に突出している。第３側壁３１２の右端にねじ挿通溝が貫通している。このねじ挿通溝には、固定ねじ３６のねじ部が前から後に向かって挿通される。そして、固定ねじ３６のねじ部は、ケース３０の第３の側板３０３に設けられているねじ孔にねじ込まれる。なお、固定ねじ３６の頭部３６０は、指で摘まんで回しやすいように刻み付き（ローレット目付き）の頭部であることが好ましい。
【００２２】
第３側壁３１２には、長円形の窓３１２０が設けられている。さらに、第３側壁３１２及び第４側壁３１３には、上下方向を長手方向とする長円形の長孔からなる軸孔３１２１が貫通している（図４参照）。第３側壁３１２の軸孔３１２１に挿通された取付ねじ３５が、ケース３０の第３の側板３０３の右上隅に設けられているねじ孔にねじ込まれる。ただし、取付ねじ３５の円筒部（頭部とねじ部の間でねじ山を有しない部分）の長さは、カバー３１を形成する金属板の板厚よりも長い。そして、第４側壁３１３の軸孔に挿通された取付ねじ３５が、ケース３０の第４の側板３０４の右上隅に設けられているねじ孔にねじ込まれる。このとき、各取付ねじ３５の頭部と、対応する側壁（第３側壁３１２又は第４側壁３１３）との間に円筒部による隙間が形成される。その結果、カバー３１は、２本の取付ねじ３５の円筒部を回転軸として回転可能にケース３０に取り付けられる。さらに、軸孔３１２１が長円形の長孔であるので、カバー３１は、軸孔３１２１の長手方向に沿ってケース３０に対してスライド可能である。
【００２３】
遠隔制御ユニット４は、図７に示すように、無線通信部４０と、赤外線通信部４３と、筐体４４と、固定板４５とを有している。無線通信部４０は、無線通信回路４１と、無線通信回路４１を収容するハウジング４２とを有している。無線通信回路４１は、無線通信用のアンテナ４１０、並びに無線通信用の集積回路などが実装された回路基板を有している。
【００２４】
無線通信回路４１は、アンテナ４１０で受信する無線信号、例えば、９２０ＭＨｚ帯の電波を媒体とする無線信号を受信し、当該無線信号から制御指令を取得するように構成されている。なお、無線信号は、後述する送信機５及び制御装置６から送信され、照明器具１を遠隔から制御（点滅及び調光）するための制御指令を伝送している。さらに、無線通信回路４１は、無線信号から取得した制御指令を伝送するための制御信号を、信号ケーブル３２６を介して回路ブロック３２の第１制御部３２１に伝送するように構成されている（図１及び図６参照）。
【００２５】
ハウジング４２は、図７に示すように、ボディ４２０とカバー４２１を備えている。ボディ４２０は、一面（下面）が開放された箱状の合成樹脂成形体で構成されている。カバー４２１は、おおよそ矩形板状の蓋体４２２と、直方体状のアンテナ収容部４２３とを有している。アンテナ収容部４２３は蓋体４２２の下面から下向きに突出し、蓋体４２２の上面に開口するように蓋体４２２と一体に形成されている。なお、蓋体４２２の前端には、Ｌ字形の引掛片４２４が設けられている。この引掛片４２４は、蓋体４２２の前端から上向きに突出している。また、蓋体４２２の後端における左右両端のそれぞれに貫通孔４２２０が設けられている。
【００２６】
赤外線通信部４３は、赤外線（例えば、９００ｎｍ帯の赤外線）を媒体とする赤外線信号を受信し、当該赤外線信号からベースバンド信号を復調するように構成されている。なお、赤外線信号は、送信機５から送信され、例えば、照明器具１（実際には遠隔制御ユニット４）と制御装置６とのペアリングに関する設定情報を伝送している。ただし、赤外線信号で伝送される情報は設定情報に限定されず、例えば、遠隔制御のための制御指令を含んでいてもよい。
【００２７】
赤外線通信部４３は、赤外線信号を受信（受光）する受光素子４３０と、受光素子４３０から出力されるベースバンド信号を無線通信部４０に出力するための第１コネクタ４３１と、第２コネクタ４３２と、プリント配線板４３３とを有している。無線通信部４０の無線通信回路４１は、第１コネクタ４３１を通して受け取るベースバンド信号から設定情報を復号する。第２コネクタ４３２は、無線通信部４０の無線通信回路４１と信号ケーブル３２６を電気的に接続するように構成されている。つまり、無線通信回路４１は、無線信号から取得した制御指令と、赤外線通信部４３から受け取る設定情報とを伝送するための制御信号を、赤外線通信部４３の第２コネクタ４３２から信号ケーブル３２６を介して回路ブロック３２の第１制御部３２１に伝送している。プリント配線板４３３は長方形の平板状に形成されている。プリント配線板４３３の下面に受光素子４３０、第１コネクタ４３１及び第２コネクタ４３２が実装されている。なお、受光素子４３０は、受光部４３００を下に向けるようにプリント配線板４３３の下面に実装されている。
【００２８】
固定板４５は、矩形板状の主片４５０と、主片４５０の４つの角のうちで対角の位置にある２つの角のそれぞれから下向きに突出する一対の脚片４５１とを有している。主片４５０には、一対のねじ孔４５００が設けられている。各脚片４５１はＬ字形に形成されている。プリント配線板４３３は、一対の脚片４５１の下端にねじ止めされている。
【００２９】
筐体４４は、上板４４０、下板４４１、前板４４２、左側板４４３、右側板４４４、固定片４４５を有している。上板４４０は矩形の平板状に形成されている。上板４４０には２つのねじ挿通孔４４００が設けられている。下板４４１は、一部分が矩形に切り欠かれることで概ねＵ字形状に形成されている。下板４４１には、切欠４４６を挟んで対向する位置に、一対のねじ孔４４１０及び一対のねじ挿通孔４４１１がそれぞれ設けられている。また、下板４４１の前端近くに円形の透光孔４４７が設けられている。前板４４２は矩形の平板状に形成され、上板４４０の前端と下板４４１の前端を繋いでいる。左側板４４３及び右側板４４４は矩形の平板状に形成されている。左側板４４３は、上板４４０、下板４４１及び前板４４２のそれぞれの左端と繋がっている。右側板４４４は、上板４４０、下板４４１及び前板４４２のそれぞれの右端と繋がっている。なお、右側板４４４の後端には、半円形状の溝４４４０が形成されている。固定片４４５は矩形の板状に形成されている。固定片４４５は、上板４４０の後端から上向きに立ち上がるように形成されている。固定片４４５の長手方向（左右方向）の両端近くに、円形の取付孔４４５０がそれぞれ設けられている。つまり、筐体４４は、前後方向に沿って前板４４２と対向する面（後面）が開放された箱状に形成されている。なお、筐体４４は金属板で形成されることが好ましい。
【００３０】
無線通信部４０のボディ４２０は、無線通信回路４１を収容した状態で筐体４４内に収容される。ボディ４２０は、各ねじ挿通孔４４１１に挿通される２本のねじ４２５によって筐体４４の下板４４１にねじ止めされる。ただし、無線通信回路４１のアンテナ４１０は、切欠４４６を通して筐体４４の外（下）に突出している。カバー４２１の引掛片４２４が下板４４１における切欠４４６の前端に引っ掛けられた状態で、蓋体４２２の各貫通孔４２２０に挿通されるねじ４６が下板４４１の各ねじ孔４４１０にねじ込まれることにより、カバー４２１が下板４４１に取り付けられる。このとき、切欠４４６から筐体４４の外に突出しているアンテナ４１０は、カバー４２１のアンテナ収容部４２３内に収容される。
【００３１】
上板４４０の各ねじ挿通孔４４００に挿通されるねじ４７が固定板４５の主片４５０の各ねじ孔４５００にねじ込まれることにより、固定板４５が筐体４４の上板４４０にねじ止めされる。つまり、筐体４４内において、赤外線通信部４３は固定板４５によって上板４４０に固定される。このとき、受光素子４３０の受光部４３００と下板４４１の透光孔４４７とが下板４４１の厚み方向（上下方向）に沿って対向している（図６参照）。つまり、受光素子４３０の受光部４３００は、下板４４１の透光孔４４７を通して赤外線信号を受信することができる。
【００３２】
筐体４４は、アーム１５の連結部１８に取り付けられる。すなわち、固定片４４５の各取付孔４４５０に挿通される取付ねじ４８が、前方の連結部１８に設けられている一対のねじ孔のうちの対応するねじ孔にねじ込まれることにより、筐体４４が連結部１８に取り付けられる（図４参照）。
【００３３】
照明器具１は、一対の電源線７０によって交流電源７に電気的に接続される（図８参照）。一対の電源線７０には、複数台の照明器具１が電気的に並列接続されることが好ましい。ただし、交流電源７から各照明器具１への給電路となる一対の電源線７０は、スイッチ装置８によって断路可能に構成されることが好ましい。スイッチ装置８は、操作部８０が操作される毎に給電路を断路する状態（オフ状態）と、給電路を断路しない状態（オン状態）とに切り替えるように構成されている。そして、スイッチ装置８がオン状態のときに各照明器具１が点灯し（あるいは点灯可能な状態となり）、スイッチ装置８がオフ状態のときに各照明器具１が消灯する。
【００３４】
制御装置６は、図８に示すように、無線通信部６０と、第２制御部６１と、第２記憶部６２と、操作入力部６３と、表示部６４と、電源部６５とを備えることが好ましい。無線通信部６０は、第２制御部６１から与えられる指令（コマンド）や識別情報（ＩＤデータ）を含む送信フレームで無線信号の搬送波を変調し、変調後の搬送波をアンテナから無線信号として送信するように構成されている。無線通信部６０は、例えば、９２０ＭＨｚ帯の電波を媒体（搬送波）として無線信号を送信するように構成されることが好ましい。第２制御部６１は、例えば、マイクロコントローラと、マイクロコントローラで実行されるプログラムとを有している。電源部６５は、外部の電源（交流電源７）から供給される交流電力を直流電力に電力変換することで無線通信部６０、第２制御部６１などの各部の動作用電源を生成している。
【００３５】
操作入力部６３は、押釦スイッチやタッチセンサなどの入力デバイスを有している。操作入力部６３は、押釦スイッチやタッチセンサで操作入力を受け付けると、受け付けた操作入力に対応した操作信号を第２制御部６１に出力する。表示部６４は、発光ダイオードや液晶ディスプレイなどの表示デバイスを有している。表示部６４は、第２制御部６１に駆動されることで種々の情報、例えば、第２制御部６１の動作モードなどを表示するように構成されている。第２記憶部６２は、第１記憶部３２２と同じく、フラッシュメモリやＥＥＰＲＯＭなどの電気的に書換可能な不揮発性の半導体メモリで構成されている。第２記憶部６２は、例えば、自己の識別情報（ＩＤデータ）などを記憶している。
【００３６】
制御装置６は、図９に示すように、合成樹脂製の本体６６を有している。本体６６は、扁平な矩形の箱状に形成されている。本体６６は、無線通信部６０、第２制御部６１、第２記憶部６２、操作入力部６３、表示部６４、電源部６５を内部に収容している。本体６６の下面から電源ケーブル６７が引き出されている。電源ケーブル６７の先端に電源プラグ６８が設けられている。電源部６５は、電源プラグ６８がコンセントに差し込み接続されることにより、電源プラグ６８及び電源ケーブル６７を介して交流電源７から給電される。本体６６の前面に、第１操作部材６３０、第２操作部材６３１及び第３操作部材６３２が上下方向に並べて配置されている。第１操作部材６３０、第２操作部材６３１及び第３操作部材６３２のそれぞれは、本体６６の前面に対して押操作可能に構成されている。そして、一番下に配置されている第１操作部材６３０が押操作されると、操作入力部６３が有する複数の押釦スイッチのうちで第１操作部材６３０に対応した押釦スイッチがオンされる。操作入力部６３は、第１操作部材６３０によって押釦スイッチがオンされると、照明器具１の状態（点灯状態と消灯状態）を切り替えるための操作信号（第１操作信号）を第２制御部６１へ出力する。また、一番上に配置されている第２操作部材６３１が押操作されると、操作入力部６３が有する複数の押釦スイッチのうちで第２操作部材６３１に対応した押釦スイッチがオンされる。操作入力部６３は、第２操作部材６３１によって押釦スイッチがオンされると、照明器具１の調光レベルを上げる（明るくする）ための操作信号（第２操作信号）を第２制御部６１へ出力する。さらに、中央に配置されている第３操作部材６３２が押操作されると、操作入力部６３が有する複数の押釦スイッチのうちで第３操作部材６３２に対応した押釦スイッチがオンされる。操作入力部６３は、第３操作部材６３２によって押釦スイッチがオンされると、照明器具１の調光レベルを下げる（暗くする）ための操作信号（第３操作信号）を第２制御部６１へ出力する。本体６６の前面における第２操作部材６３１及び第３操作部材６３２の隣に、表示部６４の表示素子（発光ダイオード）が発する光を透過させるための窓６６０が設けられている。この窓６６０は、上下方向を長手方向とする矩形に形成されている。
【００３７】
第２制御部６１は、第１操作信号、第２操作信号及び第３操作信号のそれぞれに対応した制御指令と、制御装置６に固有の識別情報を含む送信フレームを生成し、生成した送信フレームを無線通信部６０に渡す。無線通信部６０は、第２制御部６１から与えられる送信フレームを変調し、変調後の送信フレームをアンテナから無線信号として送信する。
【００３８】
次に、図８を参照して、送信機５及び制御装置６により、体育館などの天井に設置された照明器具１が遠隔制御される手順を説明する。
【００３９】
まず、送信機５により、照明器具１と制御装置６のペアリングが行われる。送信機５の操作ボタン５０が押操作されると、送信機５からペアリングのための設定情報を含む赤外線信号が送信される。なお、設定情報とは、例えば、無線信号の送信元である制御装置６に割り当てられている識別情報である。遠隔制御ユニット４では、赤外線通信部４３が赤外線信号を受信して設定情報を取得し、無線通信部４０の無線通信回路４１が赤外線通信部４３から受け取った設定情報をメモリ（例えば、電気的に書換可能な不揮発性の半導体メモリ）に記憶する。無線通信回路４１が設定情報をメモリに記憶することにより、照明器具１と制御装置６とのペアリングが完了する。
【００４０】
遠隔制御ユニット４の無線通信回路４１は、制御装置６から送信される無線信号を受信して送信フレームを取得する。無線通信回路４１は、当該送信フレームに含まれる識別情報をメモリに記憶している設定情報と照合し、識別情報が設定情報と一致すれば、当該送信フレームに含まれる制御指令に対応した制御信号を生成する。無線通信回路４１は、生成した制御信号を信号ケーブル３２６を介して回路ブロック３２の第１制御部３２１に伝送する。第１制御部３２１は、無線通信回路４１から受け取る制御信号に基づき、点灯回路部３２０を制御して光源ユニット２を点滅及び調光する。
【００４１】
一方、無線通信回路４１は、送信フレームに含まれる識別情報がメモリに記憶されている識別情報と一致しなければ、当該送信フレームを破棄して制御信号を生成しない。つまり、無線通信回路４１は、複数の制御装置から無線信号を受信可能であっても、ペアリングされている制御装置６から送信される送信フレーム（制御指令）だけを受け入れるように構成されている。なお、無線通信回路４１は、送信機５から送信される赤外線信号に制御指令が含まれている場合、当該赤外線信号に含まれる制御指令に対応した制御信号を生成して第１制御部３２１に伝送してもよい。
【００４２】
ここで、照明器具１では、遠隔制御ユニット４が器具本体１０ではなくアーム１５の連結部１８に取り付けられている。照明器具１は、アーム１５の固定部１７で造営物（例えば、体育館の天井）に固定されれば、遠隔制御ユニット４の無線通信部４０で無線信号を受信し、かつ赤外線通信部４３で赤外線信号を受信することができる。つまり、照明器具１は、特許文献１記載の従来例とは異なり、遠隔制御ユニット４に対する作業なしで施工可能である。そのため、照明器具１は、特許文献１記載の従来例と比較して、遠隔制御を可能としつつ施工作業の作業性の向上を図ることができる。なお、遠隔制御ユニット４による遠隔制御の内容は光源ユニット２の点滅及び調光に限定されない。例えば、器具本体１０にアーム１５の取付部１６をモータで回転させる機構が設けられ、遠隔制御ユニット４が当該モータの回転量を調整することにより、アーム１５に対する器具本体１０の姿勢を遠隔制御しても構わない。
【００４３】
また、アーム１５の連結部１８に取り付けられた遠隔制御ユニット４は、器具本体１０の下に取り付けられている光源ユニット２よりも上方に位置することにより、光源ユニット２の照明光を筐体４４の透光孔４４７から筐体４４内に入り難くしている。そのため、照明器具１は、光源ユニット２を点灯させている状態であっても送信機５から送信される赤外線信号を受光素子４３０で受光することができる。その結果、照明器具１は、赤外線通信部４３における赤外線通信の通信精度の向上を図ることができる。
【００４４】
さらに、照明器具１では、遠隔制御ユニット４の後方にアーム１５の連結部１８が配置されている（図１参照）。このため、第１の照明器具１の後方に設置されている第２の照明器具１に向けて送信された赤外線信号が、第１の照明器具１におけるアーム１５の連結部１８に遮られ易くなる。その結果、第２の照明器具１に向けて送信された赤外線信号を第１の照明器具１の遠隔制御ユニット４が過って受信する可能性を低くすることができる。
【００４５】
また、照明器具１は、連結部１８からみて器具本体１０の外側に配置されるように筐体４４が連結部１８に取り付けられるので、連結部１８からみて器具本体１０の内側に配置される場合よりも赤外線信号の受信感度の向上を図ることができる。
【００４６】
ところで、電源装置３は２つの連結部１８の間、すなわち、器具本体１０の上に配置されることが好ましい。このように電源装置３が２つの連結部１８の間に配置されれば、連結部１８からみて器具本体１０の外側に取り付けられた遠隔制御ユニット４の筐体４４と電源装置３とを離して配置することができる。遠隔制御ユニット４は、電源装置３との距離を大きくするほど、電源装置３で発生するノイズ（不要輻射）や熱の影響を受け難くなる。
【００４７】
また、照明器具１において、無線通信部４０が赤外線通信部４３とともに筐体４４に収容されている。そのため、照明器具１は、無線通信部４０が電源装置３のケース３０に収容される場合と比較して、アンテナ４１０で電波を捉えることのできる範囲が広くなるので、無線信号の受信感度の向上を図ることができる。
【００４８】
さらに、無線通信部４０は、器具本体１０と電源装置３との距離よりも器具本体１０と無線通信部４０との距離が大きくなる位置に配置されることが好ましい。具体的には、器具本体１０からみて、筐体４４の下面から突出しているアンテナ収容部４２３の底面が、ケース３０の天板３００の上面よりも上になように遠隔制御ユニット４がアーム１５に取り付けられてもよい。この場合、金属製のケース３０で無線信号が遮蔽されにくくなるので、制御装置６から送信される無線信号を無線通信回路４１で受信し易くなる。
【００４９】
ここで、照明器具１では、支持部材であるアーム１５が、取付部１６を長手方向の両端に有するＵ字形状に形成されている。ただし、照明器具１は２つの支持部材（アーム）を備えてもよい。２つのアームは、それぞれＬ字形に形成されることが好ましい。各アームの固定部は、連結部の上端から外向き（器具本体１０から離れる向き）に突出することが好ましい。遠隔制御ユニット４の筐体４４は、２つのアームのうちの一方のアームに取り付けられることが好ましい。
【００５０】
上述のように照明器具１は、光源（光源ユニット２）と、光源ユニット２を点灯させる電源装置３と、光源ユニット２及び電源装置３を保持する器具本体１０と、器具本体１０を支持する支持部材（アーム１５）とを備える。照明器具１は、電源装置３を遠隔制御するための制御指令を受け取る遠隔制御ユニット４を備える。１つ以上のアーム１５は、器具本体１０の側面に取り付けられる取付部１６と、造営物に固定される固定部１７と、取付部１６と固定部１７を連結する連結部１８とを有している。遠隔制御ユニット４は、無線通信を行う無線通信部４０と、赤外線通信を行う赤外線通信部４３と、赤外線通信部４３を収容する筐体４４とを有している。筐体４４は、連結部１８に取り付けられている。
【００５１】
照明器具１は、アーム１５の固定部１７で造営物に固定されれば、遠隔制御ユニット４の無線通信部４０で無線信号を受信し、かつ赤外線通信部４３で赤外線信号を受信することができる。つまり、照明器具１は、特許文献１記載の従来例とは異なり、遠隔制御ユニット４に対する作業なしで施工可能である。そのため、照明器具１は、特許文献１記載の従来例と比較して、遠隔制御を可能としつつ施工作業の作業性の向上を図ることができる。
【００５２】
照明器具１において、筐体４４は、連結部１８からみて器具本体１０の外側に配置されるように連結部１８に取り付けられていることが好ましい。
【００５３】
照明器具１は上述のように構成されることにより、連結部１８からみて器具本体１０の内側に配置される場合よりも赤外線信号の受信感度の向上を図ることができる。
【００５４】
照明器具１において、アーム１５は、取付部１６と連結部１８を２つずつ有することが好ましい。電源装置３は、２つの連結部１８の間に配置されていることが好ましい。
【００５５】
照明器具１は上述のように構成されることにより、連結部１８からみて器具本体１０の外側に取り付けられた遠隔制御ユニット４の筐体４４と電源装置３とを離して配置することができる。そのため、照明器具１は、遠隔制御ユニット４と電源装置３との距離を大きくするほど、電源装置３で発生するノイズ（不要輻射）や熱の影響を遠隔制御ユニット４に及ぼし難くできる。
【００５６】
照明器具１において、無線通信部４０は筐体４４に収容されていることが好ましい。
【００５７】
照明器具１は上述のように構成されることにより、無線通信部４０が電源装置３のケース３０に収容される場合と比較して、無線通信部４０で電波を捉えることのできる範囲が広くなるので、無線信号の受信感度の向上を図ることができる。
【００５８】
照明器具１において、無線通信部４０は、器具本体１０と電源装置３との距離よりも器具本体１０と無線通信部４０との距離が大きくなる位置に配置されていることが好ましい。
【００５９】
照明器具１は上述のように構成されることにより、電源装置３で無線信号が遮蔽されにくくなるので、無線信号の受信感度の向上を図ることができる。
【００６０】
照明器具１において、アーム１５は、取付部１６を長手方向の両端に有するＵ字形状に形成されていることが好ましい。
【００６１】
照明器具１は上述のように構成されることにより、１つの支持部材（アーム１５）で器具本体１０を造営物に取り付けることができて部品点数の削減を図ることができる。
【符号の説明】
【００６２】
１  照明器具
２  光源ユニット（光源）
３  電源装置
４  遠隔制御ユニット
１０  器具本体
１５  アーム（支持部材）
１６  取付部
１７  固定部
１８  連結部
４０  無線通信部
４３  赤外線通信部
４４  筐体
【図１】
2018181594.tif 000003
【図２】
2018181594.tif 000004
【図３】
2018181594.tif 000005
【図４】
2018181594.tif 000006
【図５】
2018181594.tif 000007
【図６】
2018181594.tif 000008
【図７】
2018181594.tif 000009
【図８】
2018181594.tif 000010
【図９】
2018181594.tif 000011